(57)【要約】【課題】対象システムにおいて発生した事象に応じて、より利便性の高い情報提供を行い、管理者の熟練度に関わらず効率の良い管理情報の参照を可能とする。【解決手段】管理対象において発生した事象に基づき、この事象に関連する管理情報を表示する図表を作成する管理情報加工処理部２２２と、作成された図表を用いて管理対象の状態を管理するための管理画面を生成する管理画面編集部２２４と、を備える。そして、管理画面編集部２２４は、事象が発生したことを判定するために参照された管理情報の重み情報に基づき、管理情報加工処理部２２２により作成された図表の重要度を設定し、少なくとも、発生した事象に関連する複数の図表群のうち一つの図表群を選択するための報知画面と、選択された図表群を表示する一覧画面とを生成し、報知画面において、重要度が予め設定された閾値よりも高い図表が含まれる図表群を他の図表群と区別するための特殊表示を行う。【選択図】図３
2014126948.tif 000002
【特許請求の範囲】
【請求項１】
管理対象において発生した事象に関連する管理情報を出力する装置であって、
前記管理対象において発生した事象に基づき、当該事象に関連する管理情報を表示する図表を作成する管理情報加工処理部と、
前記管理情報加工処理部により作成された図表を用いて前記管理対象の状態を管理するための管理画面を生成する管理画面編集部と、
前記管理画面編集部により生成された前記管理画面を表示装置に表示させる表示制御部と、を備え、
前記管理画面編集部は、
前記事象が発生したことを判定するために参照された前記管理情報の当該判定における重み情報に基づき、前記管理情報加工処理部により作成された図表の重要度を設定し、
少なくとも、発生した前記事象に関連する複数の図表群のうち一つの図表群を選択するための第１管理画面と、当該第１管理画面において選択された図表群を表示する第２管理画面と、を生成し、
前記第１管理画面において、前記重要度が予め設定された閾値よりも高い図表が含まれる前記図表群に対し、他の図表群と区別するための特殊表示を行う、装置。
【請求項２】
前記管理情報加工処理部により作成される図表どうしの関連性を定義した関連性定義情報を保持する保持部をさらに備え、
前記管理画面編集部は、前記第２管理画面に表示される図表群に含まれる図表のうち、前記関連性定義情報に基づいて当該図表に関連する図表が存在するものに対し、他の図表と区別するための特殊表示を行う、請求項１に記載の装置。
【請求項３】
前記第１管理画面における前記特殊表示は、当該特殊表示が行われた図表群に含まれる、前記重要度が予め設定された閾値よりも高い図表の数の情報の表示を含む、請求項１または請求項２に記載の装置。
【請求項４】
前記第２管理画面における前記特殊表示は、当該特殊表示が行われた図表に関連する図表の数の情報の表示を含む、請求項２または請求項３に記載の装置。
【請求項５】
前記管理画面編集部は、前記第２管理画面において選択された図表を大きい表示サイズで表示する表示領域と、前記関連性定義情報に基づいて当該図表に関連する図表を小さい表示サイズで表示する表示領域とを含む、第３管理画面をさらに生成する、請求項２乃至請求項４に記載の装置。
【請求項６】
前記管理画面編集部は、前記第１管理画面において、前記管理対象に発生した前記事象に関連する図表群を選択するための案内画像として、当該図表群に属する図表のうちで、前記重要度が最も高い図表を表示させる、請求項１乃至請求項５に記載の装置。
【請求項７】
管理対象において発生した事象に関連する管理情報を出力する装置であって、
前記管理対象において発生した事象に基づき、当該事象に関連する管理情報を表示する図表を作成する管理情報加工処理部と、
前記管理情報加工処理部により作成される図表どうしの関連性を定義した関連性定義情報を保持する保持部と、
前記管理情報加工処理部により作成された図表を用いて前記管理対象の状態を管理するための管理画面を生成する管理画面編集部と、
前記管理画面編集部により生成された前記管理画面を表示装置に表示させる表示制御部と、を備え、
前記管理画面編集部は、
前記事象が発生したことを判定するために参照された前記管理情報の当該判定における重み情報に基づき、前記管理情報加工処理部により作成された図表の重要度を設定し、
発生した前記事象に関連する複数の図表群のうち一つの図表群を選択するための案内画像を含み、当該案内画像として、当該図表群に属する図表のうちで、前記重要度が最も高い図表を表示させる第１管理画面と、当該第１管理画面において選択された図表群を表示する第２管理画面と、当該第２管理画面において選択された図表を大きい表示サイズで表示し、前記関連性定義情報に基づいて当該図表に関連する図表を小さい表示サイズで表示する第３管理画面と、を生成し、
前記第１管理画面において、前記重要度が予め設定された閾値よりも高い図表が含まれる前記図表群に対し、他の図表群と区別するための第１の特殊表示を行い、
前記第２管理画面に表示される図表群に含まれる図表のうち、前記関連性定義情報に基づいて当該図表に関連する図表が存在するものに対し、他の図表と区別するための第２の特殊表示を行う、装置。
【請求項８】
コンピュータに、管理対象において発生した事象に関連する管理情報を出力させる方法において、
前記管理対象において発生した事象に基づき、予め定められた定義情報に基づいて、当該事象に関連する管理情報を表示する図表を作成するステップと、
前記事象が発生したことを判定するために参照された前記管理情報の当該判定における重み情報に基づき、前記ステップで作成された図表の重要度を設定するステップと、
発生した前記事象に関連する複数の図表群のうち一つの図表群を選択するための画面であって、複数の当該図表群のうち、前記ステップで設定された前記重要度が予め設定された閾値よりも高い図表が含まれる図表群を他の図表群と区別するための特殊表示を付与した、第１管理画面を生成するステップと、
前記第１管理画面において選択された図表群を表示する第２管理画面を生成するステップと、
を含む、方法。
【請求項９】
前記第２管理画面を生成するステップにおいて、前記第２管理画面に表示される図表群に含まれる図表のうち、予め用意された図表どうしの関連性を定義した関連性定義情報に基づいて当該図表に関連する図表が存在するものに対し、他の図表と区別するための特殊表示を行う、請求項８に記載の方法。
【請求項１０】
コンピュータを、
管理対象において発生した事象に基づき、予め定められた定義情報に基づいて、当該事象に関連する管理情報を表示する図表を作成する手段と、
前記事象が発生したことを判定するために参照された前記管理情報の当該判定における重み情報に基づき、作成された図表の重要度を設定する手段と、
発生した前記事象に関連する複数の図表群のうち一つの図表群を選択するための画面であって、複数の当該図表群のうち、前記ステップで設定された前記重要度が予め設定された閾値よりも高い図表が含まれる図表群を他の図表群と区別するための特殊表示を付与した、第１管理画面を生成する手段と、
前記第１管理画面において選択された図表群を表示する第２管理画面を生成する手段として、
機能させる、プログラム。
【請求項１１】
前記第２管理画面を生成する手段において、前記第２管理画面に表示される図表群に含まれる図表のうち、予め用意された図表どうしの関連性を定義した関連性定義情報に基づいて当該図表に関連する図表が存在するものに対し、他の図表と区別するための特殊表示を行う処理を、前記コンピュータに実行させる、請求項１０に記載のプログラム。
【発明の詳細な説明】
【技術分野】
【０００１】
本発明は、様々な管理対象の資源の状態を管理し、所定の事象が発生した場合に、発生した事象に関連する管理情報を出力する装置、方法およびプログラムに関する。
【背景技術】
【０００２】
従来、データベース等の様々なシステムを対象として、その資源の状態を管理する管理システムが存在する。この種の管理システムは、管理対象のシステムに発生し得る事象を想定し、所定の事象が発生した場合に、その事象に関連する情報（管理情報）を提示し、管理対象のシステムの管理者による事象の分析や対応を支援する。
【０００３】
例えば、特許文献１に開示される従来技術は、管理対象の装置に生じ得るトラブルの事象に関するデータの一覧と、そのような事象の原因を特定するための判断材料に関するデータの一覧と、トラブルの各事象の原因に応じて設定された対処手順に関するデータの一覧とを、関連付けて記憶する。
【０００４】
また、特許文献２に開示される従来技術は、ある事象に関係するすべてのログデータを取得し、あるログデータの単位時間あたりの変化が所定の閾値を超えると残りのログデータを選別し、選別されたログデータをグラフ化して表示する。
【先行技術文献】
【特許文献】
【０００５】
【特許文献１】国際公開ＷＯ０３/１０５０３９号公報
【特許文献２】特開２００３−２１６２３８号公報
【発明の概要】
【発明が解決しようとする課題】
【０００６】
このような管理システムを用いて管理対象のシステム（以下、対象システム）の管理者が対象システムに発生した事象に対応しようとする場合、管理システムにより提供される管理情報を効率よく参照して適切に対応するには、一般に、管理者の熟練を要していた。そこで、非熟練者にも適切な対応が可能となるように、手引書や案内書を用意し、発生し得る事象に応じた具体的な対処法を案内することも行われているが、発生し得る事象の全てを予め想定して対処法を網羅することは困難であった。また、複数の事象が発生した場合等には、参酌すべき情報も増大し、管理システムから提供される管理情報をどのように参酌するかを判断することは、非熟練者には困難であった。
【０００７】
本発明は、このような課題に鑑み、対象システムにおいて発生した事象に応じて、より利便性の高い情報提供を行い、管理者の熟練度に関わらず効率の良い管理情報の参照を可能とすることを目的とする。
【課題を解決するための手段】
【０００８】
上記の目的を達成するため、本発明は、次のような装置として実現される。この装置は、管理対象において発生した事象に関連する管理情報を出力する装置であって、管理対象において発生した事象に基づき、この事象に関連する管理情報を表示する図表を作成する管理情報加工処理部と、この管理情報加工処理部により作成された図表を用いて管理対象の状態を管理するための管理画面を生成する管理画面編集部と、この管理画面編集部により生成された管理画面を表示装置に表示させる表示制御部と、を備える。そして、管理画面編集部は、事象が発生したことを判定するために参照された管理情報の当該判定における重み情報に基づき、管理情報加工処理部により作成された図表の重要度を設定し、少なくとも、発生した事象に関連する複数の図表群のうち一つの図表群を選択するための第１管理画面と、この第１管理画面において選択された図表群を表示する第２管理画面と、を生成し、第１管理画面において、重要度が予め設定された閾値よりも高い図表が含まれる図表群を、他の図表群と区別するための特殊表示を行う。
【０００９】
また、好ましくは、上記の装置は、管理情報加工処理部により作成される図表どうしの関連性を定義した関連性定義情報を保持する保持部をさらに備える構成とする。そして、管理画面編集部は、第２管理画面に表示される図表群に含まれる図表のうち、関連性定義情報に基づいて関連する図表が存在する図表に対し、他の図表と区別するための特殊表示を行う。
【００１０】
より好ましくは、第１管理画面における特殊表示は、この特殊表示が行われた図表群に含まれる、重要度が予め設定された閾値よりも高い図表の数の情報の表示を含む。
また、第２管理画面における特殊表示は、この特殊表示が行われた図表に関連する図表の数の情報の表示を含む。
【００１１】
さらに好ましくは、管理画面編集部は、第２管理画面において選択された図表を大きい表示サイズで表示する表示領域と、関連性定義情報に基づいて選択された図表に関連する図表を小さい表示サイズで表示する表示領域とを含む、第３管理画面をさらに生成する。
また、管理画面編集部は、第１管理画面において、管理対象に発生した事象に関連する図表群を選択するための案内画像として、この図表群に属する図表のうちで、重要度が最も高い図表を表示させる。
【００１２】
また本発明は、コンピュータに、管理対象において発生した事象に関連する管理情報を出力させる方法としても実現される。この方法は、管理対象において発生した事象に基づき、予め定められた定義情報に基づいて、発生した事象に関連する管理情報を表示する図表を作成するステップと、事象が発生したことを判定するために参照された管理情報の当該判定における重み情報に基づき、作成された図表の重要度を設定するステップと、発生した事象に関連する複数の図表群のうち一つの図表群を選択するための画面であって、複数の図表群のうち、設定された重要度が予め設定された閾値よりも高い図表が含まれる図表群を他の図表群と区別するための特殊表示を付与した、第１管理画面を生成するステップと、第１管理画面において選択された図表群を表示する第２管理画面を生成するステップと、を含む。
【００１３】
さらに好ましくは、第２管理画面を生成するステップにおいて、この第２管理画面に表示される図表群に含まれる図表のうち、予め用意された図表どうしの関連性を定義した関連性定義情報に基づいて関連する図表が存在する図表に対し、他の図表と区別するための特殊表示を行う。
【００１４】
さらにまた、本発明は、コンピュータを制御して上述した装置の各機能を実現するプログラム、またはコンピュータに上記の方法における各ステップに対応する処理を実行させるプログラムとしても実現される。このプログラムは、磁気ディスクや光ディスク、半導体メモリ、その他の記録媒体に格納して配布したり、ネットワークを介して配信したりすることにより、提供することができる。
【発明の効果】
【００１５】
本発明によれば、対象システムにおいて発生した事象に応じて、より利便性の高い情報提供を行い、管理者の熟練度に関わらず効率良く管理情報を参照することが可能となる。
【図面の簡単な説明】
【００１６】
【図１】本実施形態が適用される管理システムの構成例を示す図である。
【図２】判定ルールにおけるデータ要素の重み付けを説明する図表である。
【図３】管理画面生成部の機能構成例を示す図である。
【図４】図表関連性定義保持部に保持される定義情報を上記の無向グラフで表現した例を示す図である。
【図５】図４に示した図表の関連性を表す無向グラフを用いて作成された有向グラフの例を示す図である。
【図６】本実施形態における報知画面の構成例を示す図である。
【図７】本実施形態における一覧画面の構成例を示す図である。
【図８】本実施形態における分析用画面の構成例を示す図である。
【図９】本実施形態による管理情報出力制御装置の全体的な動作の流れを示すフローチャートである。
【図１０】本実施形態の事象判定装置および管理情報出力制御装置を構成するのに好適なコンピュータのハードウェア構成例を示す図である。
【発明を実施するための形態】
【００１７】
以下、添付図面を参照して、本発明の実施形態について詳細に説明する。
＜システム構成＞
図１は、本実施形態が適用される管理システムの構成例を示す図である。
図１に示す管理システムは、管理対象の資源の状態を監視して特定の事象（例えばException）が発生したか否かを判断する事象判定装置１０と、事象判定装置１０の判断に応じて情報を出力する管理情報出力制御装置２０とを備える。また、管理対象の資源の状態に関する情報である管理情報を取得して保管する管理情報保管装置３０を備える。本実施形態の管理システムの管理対象としては、コンピュータシステムやネットワークシステム等の各種の情報システムの他、広く、資源として利用される要素の状態を統計データとして表すことができるような様々なシステムを、設定することができる。
【００１８】
本実施形態の管理システムは、例えば、そのような管理対象システムに対して、資源の状態を表す統計データである管理情報を用いて何らかの判定を行うためのルール（下記の判定ルール）を設定しておき、このルールに基づいて判定される事象の発生が起こった場合に、これを検知する。そして、検知された事象に関連する元の管理情報（統計データ）の様子を確認するために用いられる情報コンテンツを提供する。検知されるべき事象は、管理対象システムの内容に応じて適宜に設定することができる。実際には、管理対象システムの資源の状態に関して何らかの判定を行う判定ルールを設定できるような事象であれば、どのような事象であっても良い。
【００１９】
＜事象判定装置の機能構成＞
図１に示す管理システムにおいて、事象判定装置１０は、判定ルール保持部１１と、判定部１２と、判定情報送信部１３とを備える。また、事象判定装置１０は、ネットワーク等の接続手段を介して管理情報保管装置３０に接続されている。
【００２０】
判定ルール保持部１１は、資源の状態の変化に基づいて特定の事象が発生したか否かを判定するためのルールである判定ルールを保持する。判定ルールは、例えば、資源の状態を表す情報であるデータ要素（統計値を表す変数）を用いた判定式として設定される。この判定式としては、閾値判定等の既存の統計処理における判定式を適宜に用いて良い。また、本実施形態において、判定ルールに用いられるデータ要素には、その判定ルールにおける「重み値」を表す数値が付加されており、これにより、各データ要素に対して重み付けが行われている。
【００２１】
図２は、判定ルールにおけるデータ要素の重み付けを説明する図表である。
図２に示す図表では、判定ルールｒj（ｊ：１≦ｊ≦ｍ）ごとに用いられるデータ要素Ｄi（ｉ：１≦ｉ≦ｎ）およびその「重み値」の例が示されている。例えば、図２に示す例において、判定ルールｒ1による判定は、データ要素Ｄ1のみを用いた判定である。また、判定ルールｒ3による判定は、データ要素Ｄ3およびデータ要素Ｄ4を同じ重み値で用いた判定である。また、判定ルールｒ4による判定は、データ要素Ｄ2、データ要素Ｄ4およびデータ要素Ｄ5を、２：１：１の重み値で用いた判定である。
【００２２】
判定部１２は、管理情報保管装置３０から管理情報としてのデータ要素を取得し、取得したデータ要素と判定ルール保持部１１に保持されている判定ルールとを用いて、各判定ルールによる判定対象の事象が発生したか否かを判定する。例えば、図２に示したように判定ルールが設定されている場合、判定部１２は、管理情報保管装置３０からデータ要素Ｄ2を取得したならば、このデータ要素Ｄ2に関して、判定ルールｒ2による判定と判定ルールｒ4による判定とを行う。判定部１２によるデータ要素の取得および判定処理は、例えば定期的に行われる。なお、判定ルールｒ4のような複数のデータ要素を用いた判定ルールに関しては、ブール式等を用いた判定式の内容によっては、データ要素の一部（この場合、例えばデータ要素Ｄ2）のみがあれば判定できる場合と、全てのデータ要素が揃わなければ判定できない場合とがある。
【００２３】
判定部１２による判定について、さらに具体的に説明する。例えば、図２に示した判定ルールｒ1による判定が閾値判定である場合を考える。この場合、判定部１２は、例えば、管理情報保管装置３０から取得したデータ要素Ｄ1の値が判定ルールｒ1において設定された閾値を超えたときに、判定ルールｒ1による判定で検知されるように設定された事象が発生したと判定する。
【００２４】
判定部１２による判定結果として検知される事象には、管理対象システムにおける影響の大きさを表す付加情報として、「重大度（severity）」が設定される。この「重大度」の情報は、数段階（例えば、３〜４段階程度）に設定され、検知対象の事象に対して割り当てられる。
【００２５】
さらに、本実施形態において、判定部１２は、検知された事象に関して、この事象の検知に用いられた判定ルールにおける各データ要素の影響の大きさを表す付加情報として、「貢献度」を設定する。この「貢献度」の情報には、上記の「重大度」の情報が反映される。言い換えれば、判定ルールにおけるデータ要素の貢献度（以下、「ルール別貢献度」と呼ぶ）には、その判定ルールによる判定で検知される事象の重大度に応じた重み付けが行われる。図２の例に基づいて考えると、判定ルールｒjにおけるデータ要素Ｄiの重み値をＷi,jとし、判定ルールｒjによる判定で検知される事象の重大度をＳjとして、重み付け値をＷ（Ｓj）で表せば、判定ルールｒjにおけるデータ要素Ｄiのルール別貢献度ｃi,jは、例えば、次式により計算されるものとする。
ｃi,j＝Ｗ（Ｓj）×Ｗi,j
【００２６】
判定情報送信部１３は、判定部１２による判定結果を含む判定情報を管理情報出力制御装置２０へ送信する。ここで、判定情報送信部１３により送信される判定情報には、例えば、検知された事象を報知する情報（例えば、事象の名称と事象の内容の説明）と、事象の重大度とが含まれる。また、事象の発生の判定に使用された（すなわち、判定式で評価された）データ要素の識別情報と、値と、ルール別貢献度とが含まれる。
【００２７】
＜管理情報出力制御装置の機能構成＞
図１に示す管理システムにおいて、管理情報出力制御装置２０は、判定情報受信部２１と、管理画面生成部２２と、操作受け付け部２３と、表示制御部２４とを備える。また、管理情報出力制御装置２０は、ネットワーク等の接続手段を介して管理情報保管装置３０に接続されている。
【００２８】
判定情報受信部２１は、事象判定装置１０から送信された判定情報を受信し、管理画面生成部２２に渡す。判定情報受信部２１と事象判定装置１０の判定情報送信部１３との間の通信は、判定情報送信部１３が主体となるいわゆるプッシュ型であっても良いし、判定情報受信部２１が送信を依頼するいわゆるプル型であっても良い。
【００２９】
管理画面生成部２２は、管理情報保管装置３０から資源の状態を表す情報（管理情報）を取得し、取得した管理情報と事象判定装置１０から取得した判定情報とを用いて、管理者に提示する管理画面を生成する。管理画面には、事象の発生を報知するための報知画面、発生した事象に関連する資源の状態を分析するために用いられる分析用画面等が含まれる。管理画面生成部２２は、これらの個々の画面を並べた、いわゆるダッシュボード形式の管理画面を構成する。この管理画面を生成するために、管理画面生成部２２は、管理情報保管装置３０から取得した管理情報を加工したり、事象判定装置１０から取得した判定情報に基づいて画面の編集を行ったりする。管理画面生成部２２の機能および処理の詳細については後述する。
【００３０】
操作受け付け部２３は、管理者によるキーボードやマウス等の入力デバイスを用いて行われる、管理画面に対する操作を受け付ける。この操作受け付け部２３は、例えば、管理画面生成部２２に特定の構成の管理画面を生成させるための指示操作や、管理画面において一覧表示される分析用画面のうち、管理者が内容を参照するために拡大表示しようとする分析用画面の選択操作等を受け付ける。
【００３１】
表示制御部２４は、管理画面生成部２２により生成された管理画面を液晶ディスプレイ等の表示装置に表示させる。また、操作受け付け部２３により受け付けた操作に応じて、管理画面の表示の切り替えを行う。
【００３２】
＜管理画面生成部の機能構成＞
図３は、管理画面生成部２２の機能構成例を示す図である。
図３に示すように、本実施形態の管理画面生成部２２は、図表作成用定義保持部２２１と、管理情報加工処理部２２２と、図表関連性定義保持部２２３と、管理画面編集部２２４とを備える。
【００３３】
図表作成用定義保持部２２１は、管理画面における分析用画面を生成するための管理情報の加工に関する定義情報を保持する。ここで、分析用画面としては、管理情報の分析に供するため、種々のグラフや表（以下、図表と記す）が適宜用いられる。すなわち、管理情報は、分析用画面として用いられる図表の形式に加工される。そして、図表作成用定義保持部２２１に保持される定義情報には、分析用画面として用いられる各図表で使用される管理情報の種類が定義される。言い換えれば、どの図表にどの管理情報（データ要素の値）が表示されるかが定義される。なお、一つの図表に表示される管理情報は、１種類とは限らず、複数の種類の管理情報を表示する図表も存在し得る（例えば、複数の管理情報の相関関係を表す図表等）。
【００３４】
管理情報加工処理部２２２は、図表作成用定義保持部２２１に保持された定義情報に基づき、管理情報保管装置３０から取得したデータ要素の値を用いて分析用画面としての図表を生成する。
【００３５】
図表関連性定義保持部２２３は、管理情報加工処理部２２２により生成される図表の関係を示す定義情報を保持する。本実施形態では、各図表をノードとし、二つの図表ｖ、ｗの間の関係を、ノードｖ、ｗを両端に持つエッジとして定義する。これにより、図表間の関連を、ノード集合Ｖとエッジ集合Ｅからなる無向グラフ（Ｖ，Ｅ）として表現する。なお、図表間の関連は無向グラフで表現するが、各図表全体には適当な規則に基づく順序を付す。
【００３６】
図４は、図表関連性定義保持部２２３に保持される定義情報を上記の無向グラフ（Ｖ，Ｅ）で表現した例を示す図である。
図４に示す定義情報において、８個のノードａ〜ｈは、８個の図表を示す。そして、ノード間に張られたエッジは、各図表の間の関連性を示す。図４の例によれば、例えば、ノードａ、ｃ、ｄで示される三つの図表は、相互に関連しており、ノードｃで示される図表は、さらにノードｅで示される図表とも関連している。また、ノードｂで示される図表は、他のいずれの図表とも関連していない。また、ノードｆで示される図表は、ノードｇで示される図表およびノードｈで示される図表と関連しているが、ノードｇで示される図表とノードｈで示される図表とは、関連していない。すなわち、図４に示す例には、４個のノードａ、ｃ、ｄ、ｅを含む無向グラフ（Ｖ，Ｅ）と、１個のノードｂのみで構成される無向グラフ（Ｖ，Ｅ）と、３個のノードｆ、ｇ、ｈを含む無向グラフ（Ｖ，Ｅ）とが示されている。
【００３７】
これらの図表間の関連は、様々な基準に基づいて設定し得る。一般に、表示対象として同じ種類の管理情報（データ要素）を含む図表は、関連性を有する。ただし、表示する管理情報と関係なく、図表間の関連性を設定しても良い。さらに、熟練した管理者による図表の参照手順の履歴を取り、この参照手順に基づいて、図表間の関連性を設定したり、既に設定されている図表間の関連性を変更（改良）したりすることも可能である。
【００３８】
管理画面編集部２２４は、管理情報加工処理部２２２により生成された図表と、図表関連性定義保持部２２３に保持されている定義情報とに基づき、管理画面の編集を行う。具体的には、まず、図表に表示されるデータ要素の、その図表に対する貢献度（上述したルール別貢献度ではなく、データ要素が評価される全ての判定ルールにおける貢献度。以下、「図表別貢献度」と呼ぶ）に基づいて各図表の順位付け（ランキング）を行う。そして、順位付けの結果に基づいて各図表を配置した管理画面を生成する。また、順位の高い図表に対して、事象を分析する上で重要な図表であることを表す特殊表示を付与する。以下、これらの処理について詳細に説明する。
【００３９】
＜図表の順位付け処理＞
まず、図表の順位付け処理について説明する。本実施形態では、図表から判定情報に含まれるデータ要素が参照されているか否かということと、そのデータ要素からどれくらいの重大度の事象が検知されたかということを評価に加えて、判定情報に示される事象に関連する図表の順位付けを行う。
【００４０】
管理画面編集部２２４は、まず、事象判定装置１０から取得した判定情報に含まれる各データ要素Ｄiについて、そのデータ要素Ｄiが表示される図表に対する貢献度である図表別貢献度ｃiを、次式により求める。なお、判定ルールｒjにおけるデータ要素Ｄiのルール別貢献度ｃi,jは、取得した判定情報に含まれている。
ｃi＝Σjｃi,j
【００４１】
次に、管理画面編集部２２４は、分析用画面の図表において参照される全てのデータ要素Ｄiに関する図表別貢献度ｃiに基づき、各図表の「重要度」を求める。具体的には、図表において参照されるデータ要素のうち、図表別貢献度ｃiがゼロ値以外の値であるデータ要素について、その図表別貢献度ｃiの値の算術平均を計算して得られた値を、その図表の重要度とする。
【００４２】
次に、管理画面編集部２２４は、図表関連性定義保持部２２３に保持される定義情報から作成される、図表の関連性を表す無向グラフ（Ｖ，Ｅ）の各ノードに、各ノードに対応する図表に対して上記のように計算された重要度の値を付与する。そして、管理画面編集部２２４は、無向グラフ（Ｖ，Ｅ）の各エッジに対し、重要度の値の大きい（重要度が高い）ノードから値の小さい（重要度が低い）ノードへ向かう「向き」を設定して、有向グラフを作成する。
【００４３】
図５は、図４に示した図表の関連性を表す無向グラフ（Ｖ，Ｅ）を用いて作成された有向グラフの例を示す図である。
ここでは、事象判定装置１０から取得した判定情報に含まれる各データ要素Ｄiを表示する図表が、図４に示したノードａ〜ｈで示される図表であったものとして説明する。図５に示す例において、ノードａで示される図表の重要度に基づいてノードａに付与された値は１０である。同様に、ノードｂに付与された値は２、ノードｃに付与された値は５、ノードｄに付与された値は５、ノードｅに付与された値は７、ノードｆに付与された値は５、ノードｇに付与された値は３、ノードｈに付与された値は９である。
【００４４】
上記の各ノードに付与された値にしたがって有向グラフを作成すると、図５に示すように、ノードａからノードｃおよびノードｄへ向かう向き、ノードｅからノードｃへ向かう向き、ノードｈからノードｆへ向かう向き、ノードｆからノードｇへ向かう向きが、各エッジにそれぞれ設定される。
【００４５】
ここで、あるエッジの両端のノードに付与された値の大きさが等しい場合、この二つのノードの間のエッジに設定される向きは、値の大きさによっては決まらない。例えば、図５に示す例で、ノードｃおよびノードｄは、共に付与された値が５であるので、この値に基づいてエッジの向きを設定することができない。そこで、この場合は、図表関連性定義保持部２２３に格納された定義情報に含まれる、図表の順序に基づいてノード間の向きを設定する。例えば、図４および図５に示すノードａ〜ｈにおいて、このアルファベット順に順序が設定されているものとすると、図５に示すように、ノードｃとノードｄの間のエッジには、ノードｃからノードｄへ向かう向きが設定される。
【００４６】
次に、管理画面編集部２２４は、相互に関連する図表からなるグループ（以下、関連図表グループ）における図表の順位付けを行う。上記のようにして作成された有向グラフは、閉路を持たない。そのため、この有向グラフの各ノードについて、入次数がゼロであるノードを先頭として、エッジの向きに沿った順番でノードを辿ることにより、各ノードを順序立てて並べることができる。そこで、このようにして並べた一連のノード群に含まれる各ノードで示される図表の集合を関連図表グループとする。そして、このノード群における各ノードの順番にしたがって、関連図表グループにおける各図表の順位を設定する。
【００４７】
図５に示す有向グラフの例によれば、ノードａを先頭とするノード群Ｉと、ノードｈを先頭とするノード群ＩＩと、ノードｅを先頭とするノード群ＩＩＩと、ノードｂを先頭とするノード群ＩＶとが得られる。なお、ここでは先頭のノードに付与された重要度の値が大きいノード群から順に示した。
【００４８】
上記の各ノード群において、ノード群Ｉの各ノードの並び順は、［ａ、ｃ、ｄ］の順となる。また、ノード群ＩＩの各ノードの並び順は、［ｈ、ｆ、ｇ］の順となる。また、ノード群ＩＩＩの各ノードの並び順は、［ｅ、ｃ、ｄ］の順となる。また、ノード群ＩＶは、一つのノードｂのみを要素としているため、並び順はない。なお、図５を参照すると、ノードａを先頭として、［ａ、ｄ］というノードの並びが考えられるが、このノードの並びは、ノード群Ｉに含まれるものとして、考慮しない。
【００４９】
ところで、本実施形態において、分析用画面としての各図表の関連性は、図表関連性定義保持部２２３に予め保持されている定義情報に基づいて特定される。これに対し、図表の重要度は、上記のように、事象判定装置１０から取得した判定情報に含まれるデータ要素の貢献度に基づいて算出される。したがって、上記のようにして設定される関連図表グループおよび各関連図表グループにおける各図表の順位は、事象判定装置１０において判定された事象の内容に応じて異なるものとなる。
【００５０】
＜管理画面の編集＞
次に、管理画面の編集処理について説明する。
管理画面編集部２２４は、上記のようにして設定された関連図表グループおよび各関連図表グループにおける図表の順位の情報を参酌して、管理画面を編集（生成）する。本実施形態では、管理画面として、発生した（事象判定装置１０により判定された）事象を報知する報知画面（第１管理画面）と、事象に関連する図表を一覧表示する一覧画面（第２管理画面）と、図表を拡大表示する分析用画面（第３管理画面）とが生成され、表示装置に切り替え表示される。まず、これらの画面の具体的な構成例について説明する。
【００５１】
図６は、報知画面の構成例を示す図である。
図６に示す報知画面６００は、事象判定装置１０から取得した判定情報に示される事象（発生した事象）に関する情報と、この事象に関連する図表を選択するためのカテゴリの案内表示とを含んで構成されている。図６を参照すると、報知画面６００には、管理対象である資源の一覧を表示する資源表示欄６１０（図では「Resource Tree」と記載）と、資源に関する情報を表示する資源情報欄６２０とが設けられている。資源表示欄６１０には、管理対象の資源について、その資源の構成（図では「Component」と記載）と共に、一覧表示されている。
【００５２】
また、資源情報欄６２０には、上下２段で３個ずつ合計６個の表示領域６２１〜６２６が形成され、上段の中央の表示領域６２２に発生した事象が列挙される。図６の例では、重大度（「Critical」、「Severe」、「Warning」）ごとに分類して、発生した事象が提示される。図６の例において、上段の左右の表示領域６２１、６２３（「Widget“Ａ”」、「Widget“Ｂ”」）は空欄となっているが、これらの表示領域６２１、６２３には、管理対象システムの仕様に関する情報等、管理者の利用に供する適当な情報を表示することができる。
【００５３】
資源情報欄６２０の下段の表示領域６２４〜６２６には、カテゴリの案内画像がそれぞれ表示されている。ここで、管理対象システムの資源の状態を表す図表は、管理対象システムの仕様、資源の種類や数、資源の状態を判断する手法や基準等に応じて複数存在し、いくつかのカテゴリに分類されているものとする。本実施形態では、表示領域６２４〜６２６に表示される各カテゴリの案内画像として、各カテゴリを代表する図表が表示されるものとする。このうち、表示領域６２４、６２５には、重要な図表が含まれるカテゴリであることを示す特殊表示６３０が付与されている。この特殊表示６３０については後述する。また、図６に示す例では、管理対象システムの資源の状態を表す図表が３種類のカテゴリに分類されている。図表のカテゴリが３種類以上ある場合は、例えば、報知画面６００の右辺等にいわゆるスクロールバーを設け、このスクロールバーを操作して表示領域の表示位置を移動させるようにしても良い。
【００５４】
なお、図６は、報知画面６００の構成の一例を示すに過ぎず、図示の構成に限定するものではない。例えば、資源表示欄６１０および資源情報欄６２０の位置や表示内容は、図示の内容に限定されない。特に資源情報欄６２０は、発生した事象の報知と、その事象に関連する図表を提示することができれば良く、表示領域の配置や数は、図示の構成に限定されない。例えば、図示の構成例では、上下２段で合計６個の表示領域を形成したが、段数は２段でなくても良く、１段に配列される表示領域の数も３個でなくても良い。また、報知画面６００の表示形式は、必ずしもダッシュボード形式に限定されない。
【００５５】
図７は、一覧画面の構成例を示す図である。
図７に示す一覧画面７００は、図６に示した報知画面６００で選択されたカテゴリに属する図表が一覧表示される画面である。図７を参照すると、一覧画面７００には、報知画面６００と同様の資源表示欄６１０と共に、図表を一覧表示するための一覧表示欄７１０が設けられている。一覧表示欄７１０には、上下２段で３個ずつ合計６個の表示領域７１１〜７１６が形成され、各表示領域７１１〜７１６に一つずつ、合計で６個の図表が縮小表示されている。このうち、表示領域７１１、７１５には、表示されている図表に関連する図表が存在することを示す特殊表示７２０が付与されている。この特殊表示７２０については後述する。また、図７に示す例では、一覧表示欄７１０に６個の図表が表示されているが、選択されたカテゴリに属する図表が６個以上ある場合は、例えば、一覧画面７００の右辺等にいわゆるスクロールバーを設け、このスクロールバーを操作して表示領域の表示位置を移動させるようにしても良い。
【００５６】
なお、図７は、一覧画面７００の構成の一例を示すに過ぎず、図示の構成に限定するものではない。例えば、資源表示欄６１０および一覧表示欄７１０の位置や表示内容は、図示の内容に限定されない。また、一覧表示欄７１０は、選択されたカテゴリに属する図表を並べて表示することができれば良く、表示領域の配置や数は、図示の構成に限定されない。例えば、図示の構成例では、上下２段で合計６個の表示領域を形成したが、段数は２段でなくても良く、１段に配列される表示領域の数も３個でなくても良い。また、一覧画面７００の表示形式は、必ずしもダッシュボード形式に限定されない。
【００５７】
図８は、分析用画面の構成例を示す図である。
図８に示す分析用画面８００は、図７に示した一覧画面７００で選択された図表の内容が表示される画面である。図８を参照すると、分析用画面８００には、報知画面６００および一覧画面７００と同様の資源表示欄６１０と共に、図表を大きい表示サイズで表示（拡大表示）するための内容表示欄８１０と、内容表示欄８１０に表示された図表に関連する図表を小さい表示サイズで表示（縮小表示）するための関連図表表示欄８２０とが設けられている。また、図８に示す例では、関連図表表示欄８２０に４個の図表が表示されているが、内容表示欄８１０に表示された図表に関連する図表が４個以上ある場合は、例えば、分析用画面８００の右辺等にいわゆるスクロールバーを設け、このスクロールバーを操作して表示領域の表示位置を移動させるようにしても良い。
【００５８】
なお、図８は、分析用画面８００の構成の一例を示すに過ぎず、図示の構成に限定するものではない。例えば、資源表示欄６１０、内容表示欄８１０および関連図表表示欄８２０の位置や表示内容は、図示の内容に限定されない。また、分析用画面８００の表示形式は、必ずしもダッシュボード形式に限定されない。
【００５９】
管理画面編集部２２４は、操作受け付け部２３を介して受け付けた指示に基づいて、上記の報知画面６００、一覧画面７００および分析用画面８００を生成し、切り替えながら表示装置に表示させる。具体的には、まず、管理者が入力デバイスを用いて分析を行おうとする管理対象システムを指定する指示を入力すると、操作受け付け部２３を介してこの指示を受け付けた管理画面編集部２２４が、指定された管理対象システムに関する情報を記載した報知画面６００を生成し、表示装置に表示させる。ここで、管理者が分析を行おうとする管理対象システムを決定するために、管理情報出力制御装置２０は、事象判定装置１０から判定情報を取得した場合に、取得した判定情報における判定の対象となっている管理システムを管理者に通知するようにしても良い。通知手段としては、表示装置への表示や音声出力等の手段を用いることができる。
【００６０】
＜管理画面の生成手順＞
次に、図６〜８を参照して説明した各管理画面を生成する際の管理画面編集部２２４による具体的な処理手順について説明する。
まず、報知画面６００の生成手順について説明する。報知画面６００を生成するため、管理画面編集部２２４は、図５を参照して説明した、各図表の重要度および関連図表グループにおける各図表の順位に基づいて、報知画面６００の資源情報欄６２０に表示する、カテゴリを代表する図表（以下、代表図表）を決定する。
【００６１】
具体的には、管理画面編集部２２４は、まず、上記の関連図表グループのうち、先頭の図表（すなわち、そのグループの中で最も重要度の値が大きい図表）の重要度の値が、予め定められた閾値を超える場合に、その関連図表グループを優先図表グループとする。また、優先図表グループに含まれる個々の図表のうちで、重要度の値が、この閾値を超えるものを優先図表とする。すなわち、優先図表グループには、１個以上の優先図表が必ず含まれる。
【００６２】
次に、管理画面編集部２２４は、報知画面６００の資源情報欄６２０に表示される各カテゴリに属する図表のうち、付与されている重要度の値が最も大きい図表を代表図表とする。そして、管理画面編集部２２４は、報知画面６００を表示装置に表示させる際に、このようにして決定された代表図表を、その代表図表が対応するカテゴリが割り当てられた表示領域（図６の例では、表示領域６２４〜６２６のいずれか）に縮小表示する。
【００６３】
なお、管理対象システムごとに設定されたカテゴリは、図４を参照して説明した図表相互の関連性とは別に設定される。しかし、各カテゴリに属する図表は、そのカテゴリが設定された管理対象システムの資源の状態を示す図表である。そして、関連図表グループを構成する図表は、判定情報に含まれるデータ要素を表示する図表であって、この判定情報は、管理対象システムに発生した事象を表す情報である。したがって、各関連図表グループを構成する図表の全てまたは多くは、いずれかのカテゴリに属する。
【００６４】
次に、一覧画面７００の生成手順について説明する。
報知画面６００において、特定のカテゴリが選択されると、管理画面編集部２２４は、表示装置の表示を報知画面６００から一覧画面７００に切り替え、選択されたカテゴリに属する図表を配列して一覧表示欄７１０を構成し、表示装置に表示させる。このとき、管理画面編集部２２４は、例えば、選択されたカテゴリに属する図表のうち、重要度の値が大きいものから順に（すなわち、関連図表グループにおける順位にしたがって）、一覧表示欄７１０の左上の表示領域７１１から順に並べて配置する。
【００６５】
次に、分析用画面８００の生成手順について説明する。
一覧画面７００において特定の図表が選択されると、管理画面編集部２２４は、表示装置の表示を一覧画面７００から分析用画面８００に切り替え、内容表示欄８１０に選択された図表を拡大表示する。そして、管理画面編集部２２４は、選択された図表が関連図表グループを構成する図表であれば、その関連図表グループに含まれる他の図表を関連図表表示欄８２０に縮小表示する。このとき、関連する図表が複数ある場合は、例えば、重要度の値が大きい図表から順に並べて表示する。また、関連図表表示欄８２０に表示する図表は、内容表示欄８１０に表示された図表よりも重要度の値が小さい図表のみとしても良いし、内容表示欄８１０に表示された図表と同じ関連図表グループであって異なるカテゴリに属する図表に限定しても良い。あるいは、関連図表表示欄８２０に表示する図表は、内容表示欄８１０に表示された図表と同じ関連図表グループであって同一のカテゴリに属する図表に限定しても良い。
【００６６】
＜特殊表示の付与＞
次に、本実施形態による特殊表示の付与について説明する。
図６および図７を参照して説明したように、本実施形態において、管理画面編集部２２４は、報知画面６００における特殊表示６３０および一覧画面７００における特殊表示７２０の表示を行う。
【００６７】
報知画面６００において、特殊表示６３０は、優先図表（重要度の値が閾値を超えている図表）が含まれているカテゴリの代表図表が表示された表示領域（図６の例では、表示領域６２４、６２５）に付与される。図示の例では、特殊表示６３０として、単に重要なカテゴリであることを示す印（●）を表示領域６２４、６２５に表示しているが、特殊表示６３０の表示態様は、図示の態様に限定されない。例えば、特殊表示６３０が付与されたカテゴリに属する優先図表の数を表示する等、種々の情報を含んだ表示とすることができる。
【００６８】
また、一覧画面７００において、特殊表示７２０は、一覧表示されている図表のうち、分析用画面８００で拡大表示される際に関連図表表示欄８２０に表示される図表が存在するものが表示された表示領域（図７の例では、表示領域７１１、７１５）に付与される。図示の例では、特殊表示７２０として、単に関連する図表が存在することを示す印（●）を表示領域７１１、７１５に表示しているが、特殊表示７２０の表示態様は、図示の態様に限定されない。例えば、特殊表示７２０が付与された図表を分析用画面８００で拡大表示した際に関連図表表示欄８２０に表示される図表の数を表示したり、管理対象システムに発生した事象と関連付けた記号を表示する等、種々の情報を含んだ表示とすることができる。
【００６９】
＜管理情報出力制御装置の動作＞
図９は、本実施形態による管理情報出力制御装置２０の全体的な動作の流れを示すフローチャートである。
図９に示すように、本実施形態の管理情報出力制御装置２０の管理画面生成部２２は、事象判定装置１０から取得した判定情報および管理情報保管装置３０から取得した管理情報（データ要素）を用い、図表作成用定義保持部２２１に保持されている定義情報に基づいて、管理情報を表示する図表を作成する（ステップ９０１）。
【００７０】
次に、管理画面生成部２２は、判定情報に含まれている各データ要素の重み値に基づいて、ステップ９０１で生成した各図表の重要度を求める（ステップ９０２）。そして、管理画面生成部２２は、ステップ９０２で求めた重要度に基づき、図表関連性定義保持部２２３に保持されている定義情報を用いて、関連図表グループおよび関連図表グループにおける各図表の順位を設定する（ステップ９０３）。
【００７１】
次に、管理画面生成部２２は、操作受け付け部２３により受け付けた管理者による管理対象の選択操作に応じて、選択された管理対象に関する報知画面６００を生成する（ステップ９０４）。このとき生成される報知画面６００には、ステップ９０２で求めた重要度およびステップ９０３で設定した図表の順位に基づき、カテゴリの案内画面として表示される図表が選択され、カテゴリに属する図表に応じて特殊表示６３０が付与される。生成された報知画面６００は、表示制御部２４により表示装置に表示される（ステップ９０５）。
【００７２】
次に、操作受け付け部２３により、管理者によるカテゴリの選択操作が受け付けられると、管理画面生成部２２は、選択されたカテゴリに関する一覧画面７００を生成する（ステップ９０６、９０７）。このとき生成される一覧画面７００には、ステップ９０３で設定した関連図表グループおよび各図表の順位に基づき、一覧表示された図表のうちで関連する図表が存在するものに対し、特殊表示７２０が付与される。生成された一覧画面７００は、表示制御部２４により表示装置に表示される（ステップ９０８）。
【００７３】
次に、操作受け付け部２３により、管理者による図表の選択操作が受け付けられると、管理画面生成部２２は、選択された図表を内容表示欄８１０に表示した分析用画面８００を生成する（ステップ９０９、９１０）。このとき選択された図表に、ステップ９０３で設定した関連図表グループに基づく関連する図表が存在する場合、その関連する図表が関連図表表示欄８２０に表示される。生成された分析用画面８００は、表示制御部２４により表示装置に表示される（ステップ９１１）。
【００７４】
＜ハードウェア構成例＞
図１０は、本実施形態の事象判定装置１０および管理情報出力制御装置２０を構成するのに好適なコンピュータのハードウェア構成例を示す図である。
図１０に示すコンピュータは、演算手段であるＣＰＵ（Central Processing Unit）１１０ａと、主記憶手段であるメモリ１１０ｃを備える。また、外部デバイスとして、磁気ディスク装置（ＨＤＤ：Hard Disk Drive）１１０ｇ、ネットワーク・インターフェイス１１０ｆ、表示機構１１０ｄ、音声機構１１０ｈ、キーボードやマウス等の入力デバイス１１０ｉ等を備える。
【００７５】
図１０に示す構成例では、メモリ１１０ｃおよび表示機構１１０ｄは、システム・コントローラ１１０ｂを介してＣＰＵ１１０ａに接続されている。また、ネットワーク・インターフェイス１１０ｆ、磁気ディスク装置１１０ｇ、音声機構１１０ｈおよび入力デバイス１１０ｉは、Ｉ／Ｏコントローラ１１０ｅを介してシステム・コントローラ１１０ｂと接続されている。各構成要素は、システム・バスや入出力バス等の各種のバスによって接続される。
【００７６】
なお、図１０は、本実施形態が適用されるのに好適なコンピュータのハードウェア構成を例示するに過ぎない。本実施形態は、管理対象システムの資源を管理して特定の事象が発生したか否かを判定し、判定結果に基づく管理情報の出力を行うシステムに広く適用できるものであり、図示の構成においてのみ本実施例が実現されるのではない。
【００７７】
図１０において、磁気ディスク装置１１０ｇにはＯＳやアプリケーション・ソフトのプログラムが格納されている。そして、これらのプログラムがメモリ１１０ｃに読み込まれてＣＰＵ１１０ａに実行されることにより、事象判定装置１０の判定部１２の機能や、管理情報出力制御装置２０における操作受け付け部２３および表示制御部２４の各機能、管理画面生成部２２における管理情報加工処理部２２２および管理画面編集部２２４の各機能が実現される。また、磁気ディスク装置１１０ｇやメモリ１１０ｃ等の記憶手段により、事象判定装置１０の判定ルール保持部１１や管理情報出力制御装置２０の管理画面生成部２２における図表作成用定義保持部２２１、図表関連性定義保持部２２３が実現される。さらに、ネットワーク・インターフェイス１１０ｆ等により、事象判定装置１０の判定情報送信部１３および管理情報出力制御装置２０の判定情報受信部２１が実現される。
【００７８】
なお、図１においては、本実施形態のシステム構成例として、事象判定装置１０、管理情報出力制御装置２０および管理情報保管装置３０を別個の装置として構成したが、本実施形態は、図示のシステム構成には限定されない。例えば、事象判定装置１０と管理情報出力制御装置２０とを単一のコンピュータにて構成しても良いし、さらに管理情報保管装置３０を同一のコンピュータにて構成しても良い。
【００７９】
また、図１に示した管理情報出力制御装置２０における操作受け付け部２３および表示制御部２４を、管理画面生成部２２から分離し、別個のハードウェアにて構成することも考え得る。具体的な実現手段としては、例えば、タブレット端末やスマートフォン等の携帯型情報端末に操作受け付け部２３および表示制御部２４の機能を持たせ、管理画面生成部２２の機能を備えたサーバにアクセスすることが考えられる。この場合、携帯型情報端末は、サーバの管理画面生成部２２で生成された管理画面を取得して、表示制御部２４の機能により表示装置に表示させ、タッチパネル等の入力デバイスに対する操作を操作受け付け部２３の機能により受け付けるように構成することができる。
その他、上記の実施形態に、種々の変更または改良を加えたものも、本発明の技術的範囲に含まれる。
【符号の説明】
【００８０】
１０…事象判定装置、１１…判定ルール保持部、１２…判定部、１３…判定情報送信部、２０…管理情報出力制御装置、２１…判定情報受信部、２２…管理画面生成部、２３…操作受け付け部、２４…表示制御部、３０…管理情報保管装置、２２１…図表作成用定義保持部、２２２…管理情報加工処理部、２２３…図表関連性定義保持部、２２４…管理画面編集部
【図１】
2014126948.tif 000003
【図２】
2014126948.tif 000004
【図３】
2014126948.tif 000005
【図４】
2014126948.tif 000006
【図５】
2014126948.tif 000007
【図６】
2014126948.tif 000008
【図７】
2014126948.tif 000009
【図８】
2014126948.tif 000010
【図９】
2014126948.tif 000011
【図１０】
2014126948.tif 000012